(57)【要約】【課題】  電池の装着、取り外しが容易な充電器であり、順番に、長い時間充電された電池が取り出せる充電器を提供することを目的とする。【解決手段】  両端面２０Ａ、２０Ｂが開放され両端方向に延在する筒状体２０と、前記筒状体２０の内側に設置された両端方向に延在する正負極側端子２６、２５とを備え、充電式電池５が、前記筒状体２０の一端面２０Ａより挿入されて、前記正負極側端子２６、２５を介して充電され、前記筒状体２０の他端面２０Ｂより、取り出すことを特徴とする。【選択図】  図１
2005102406.tif 000002
【特許請求の範囲】
【請求項１】
両端面が開放され両端方向に延在する筒状体と、
前記筒状体の内側に設置された両端方向に延在する正負極側端子とを備え、
充電式電池が、前記筒状体の一端面より挿入されて、前記正負極側端子を介して充電され、前記筒状体の他端面より、取り出すことを特徴とする充電器。
【発明の詳細な説明】
【技術分野】
【０００１】
本発明は、充電式電池を充電する充電器に関する。
【背景技術】
【０００２】
従来、充電器は、以下の特許文献１に開示されるように、充電器本体において凹状の収納部を設けて、そこに、充電式電池を収納して、充電する構造であった。
【特許文献１】特開平１０−２７１７００号
【発明の開示】
【発明が解決しようとする課題】
【０００３】
しかしながら、このような充電器においては、充電器の正負充電端子間の所定の位置の収納部に電池を装着して、充電を開始し、充電が終了したら、所定の位置の収納部より取り出して、電池を電気機器の電源として使用するものであった。携帯性、収納性を考慮して充電器をできるだけ小さくする必要性上、充電器のこのような収納部は、小さいものであり、電池を一つ一つ、装着し、取外すことは、難しいものであった。
【０００４】
本発明は、上述のような問題点を解決するために成されたものであり、電池の装着、取り外しが容易な充電器を提供することを目的とする。
【課題を解決するための手段】
【０００５】
本発明は、両端面が開放され両端方向に延在する筒状体と、前記筒状体の内側に設置された両端方向に延在する正負極側端子とを備え、充電式電池が、前記筒状体の一端面より挿入されて、前記正負極側端子を介して充電され、前記筒状体の他端面より、取り出すことを特徴とする。
【発明の効果】
【０００６】
筒状体の開放された一端面より、電池を挿入して、正負極側端子を介して充電される。そして、充電された後、筒状体の開放された他端面より取り出すことができる。従って、常に、一端面より電池を挿入し、他端面より電池を取り出すことになるので、挿入、取り出しの操作が簡便である。
【０００７】
また、複数の電池を挿入し、充電後、電池を取り出す場合においては、常に、取り出す側である他端面側より、順番に、長い時間充電された電池が位置することになるので、これを他端面より、順番に取り出せば、十分に充電された電池を、自動的に取り出すことができる。加えて、先に充電した電池から取り出すので、特定の電池を繰り返し使用する恐れがない。一方、上述の従来の充電器のように複数の収納部に、時間をずらして、複数の電池を装着し充電する場合は、どの収納部に装着された電池が、長い時間充電されたかは、自動的には知ることができず、不便である。
【発明を実施するための最良の形態】
【０００８】
本発明の実施例を、図１〜３を用いて、以下に詳細に説明する。充電器１は、両端面が開放され両端方向に延在する筒状体２０と、筒状体２０の内側に設置された両端方向に延在する正負極側端子３０とを備えている。
【０００９】
詳細には、筒状体２０は、シート状の透明プラスチック材料を、筒状に加工したものであって、延在方向に対して垂直方向の断面が略矩形である。筒状体２０の一端面は、上端に位置する開放された上端面２０Ａである。筒状体２０の延在方向である両端方向は、緩やかに曲線である円弧状となっている。この円弧状に代わって、筒状体２０の延在方向を、直線として、上下方向とすることもできる。また、筒状体２０の他端面２０Ｂは、延在方向の下方向の先端であって、図１における左側に位置している。また、筒状体２０を保持するために、筒状体２０と同材料からなるシートを、Ｌ字状に折曲して、筒状体２０に接着した台座部３０を備えている。
【００１０】
筒状体２０は、断面における矩形の短辺部に相当する側壁２１、２２と、断面における矩形の長辺部に相当する下面２３、上面２４とを備えている。側壁２１、２２の内側には、各々、筒状体２０の延在する両端方向に延在する負極側端子２５、正極側端子２６が設置されている。これら端子２５、２６は、細長い金属箔を側壁２１、２２の内側に接着剤等にて固定されたものである。
【００１１】
本実施例においては、Ｎｉ−Ｃｄ電池、Ｎｉ−ＭＨ電池を利用することができ、単３型の円筒状の充電式電池５を充電しており、正極端子は、円筒状突起であり、負極端子は、円筒状形状の一端面（底面）である。
【００１２】
挿入される充電式電池５の負極と接触する負極側端子２５は、２本の金属箔２５Ｈ、２５Ｌが、間に一定の間隔Ｗを保持して、並列に設置されている。この間隔により、電池５の正負極とを逆向きに挿入された場合においても、上記一定の間隔Ｗに、電池５の正極端子の円筒状突起が入り込むことより（仮に、逆挿入されたときの円筒状突起の位置を、図２の点線Ａで示す）、負極側端子２５と接触せず、逆接続で充電されることはない。一方、挿入される充電式電池５の正極と接触する正極側端子２５は、一本の金属箔からなる。
【００１３】
電池５が挿入された状態で、電池５の負極、正極を、負極側端子２５、正極側端子２６が押圧して電気接続されるように、筒状体２０の断面における矩形の長辺の寸法が決められている。
【００１４】
また、筒状体２０の他端２０Ｂ付近には、筒状体２０の内側に突出する突起３０、３０が、筒状体２０の下面２３の横方向の両端付近に設置されている。また、筒状体２０の上面２４には、筒状体２０の延在方向に細長い開口２６が設けられている。そして、最下部に位置する電池５を取り出すときは、使用者である人の指先を細長い開口２６に入れて、電池５に指先をかけて押出そうとすることで、突起３０、３０を電池５が乗り越え、他端面２０Ｂより押出される。人の指先を入れない通常時においては、最下部の電池５は、突起３０、３０を乗り越えることができず、この位置で充電されることになる。つまり、筒状体２０はプラスチック材料よりなることより、少し変形することができるので、通常時において最下部の電池５は突起３０、３０を乗り越えることがなく、電池５に押出す力を加えたとき突起３０、３０を乗り越えるできるように、突起３０の高さ、幅等が設計されている。
【００１５】
そして、端子２５、２６には、別途、充電回路（図示せず）からの電力を電気接続手段（図示せず）を介して供給し、電池５を充電する。充電方法については、電池５の電気容量に対して、１／２０〜１／３０Ｉｔの電流にて、トリクル充電する方法が望ましい。
【００１６】
以上の構造を有する充電器１においては、筒状体２０の上端面２０Ａより、電池５が挿入されると、端子２５、２６間に、電池５の正負極側端子２６、２５が押圧されながら、電池５は重力で落下し、最下部にて、突起３０、３０に当接して保持される。そして、その後、電池５が、次々に挿入される。時間が十分に経過して、電池５が充電され、電池５が必要になったとき、開口２６に指先を入れて、最下部の電池５に指をかけて、突起３０、３０を電池５が乗り越え、他端面２０Ｂより押出され、電池５を取り出すことができる。
【００１７】
本実施例においては、以上の構造であって、複数の電池を挿入し、充電後、電池を取り出す場合においては、常に、取り出す側である他端面２０Ｂ側より、順番に、長い時間充電された電池５が位置することになるので、これを他端面２０Ｂより、順番に取り出せば、十分に充電された電池５を、自動的に取り出すことができる。
【図面の簡単な説明】
【００１８】
【図１】本発明の一実施例を示す要部斜視図である。（正負極側端子は省略されている）
【図２】本発明の一実施例において、負極側端子を示す側面図である。
【図３】本発明の一実施例において、正極側端子を示す側面図である。
【符号の説明】
【００１９】
５  充電式電池
２０  筒状体
２０Ａ  上端面（＝一端面）
２０Ｂ  他端面
２５  負極側端子
２６  正極側端子
【図１】
2005102406.tif 000003
【図２】
2005102406.tif 000004
【図３】
2005102406.tif 000005